(57)【特許請求の範囲】
【請求項１】
端末機器と受信機との間に介在して、前記端末機器からの信号を前記受信機に中継するものであり、一対の受信配線を介して前記受信機と接続され、無通電時に、無通電状態を示す信号として前記一対の受信配線間を断線させる断線信号を出力するか否かを選択可能な中継装置であって、
前記受信配線の他方に接続されるリレーと、
前記リレーに接続される第４のジャンパ端子と、
前記受信配線の一方に接続される第３のジャンパ端子と、を備え、
前記リレーは、
無通電時に前記受信配線の他方と前記第４のジャンパ端子とを接続するものであり、
前記第３のジャンパ端子と前記第４のジャンパ端子との間は、
非短絡状態又は短絡状態のいずれかが選択されるものであり、
前記非短絡状態では、無通電時に前記断線信号が出力され、
前記短絡状態では、無通電時に前記断線信号が出力されない
ように構成されたことを特徴とする中継装置。
【請求項２】
前記一対の受信配線の一方に接続される第１の受信端子と、
前記一対の受信配線の他方に接続される第２の受信端子と、
終端器の一端、及び、前記第１の受信端子に接続される第１の終端端子と、
前記終端器の他端に接続される第２の終端端子と、を備え、
前記リレーは、
リレー基端子と第２のリレー端子とを有し、該リレー基端子が前記第２の受信端子に接続され、前記第２のリレー端子が前記第４のジャンパ端子に接続され、また、前記リレー基端子と前記第２のリレー端子とを接続するか否かを切り替えるように構成されており、更に、無通電時に、前記リレー基端子と前記第２のリレー端子とが接続されることにより、前記受信配線の他方と前記第４のジャンパ端子とを接続するものであり、
前記第３のジャンパ端子は、
前記第２の終端端子に接続されるものであり、
前記非短絡状態では、無通電時に、前記受信配線と前記終端器とが切り離されることにより、前記断線信号が出力され、
前記短絡状態では、無通電時に、前記受信配線と前記終端器とが接続されることにより、前記断線信号が出力されない
ように構成されたことを特徴とする請求項１記載の中継装置。
【請求項３】
前記端末機器と、
前記受信機と、
請求項１又は２記載の中継装置と、を備え、
前記受信機には、
前記中継装置から送信される断線信号を受信した場合に受信断線警報を出力する受信警報部が設けられている
ことを特徴とする警報システム。
【発明の詳細な説明】
【技術分野】
【０００１】
本発明は、端末機器と受信機との間に介在して、端末機器からの信号を受信機に中継する中継装置及びその中継装置を備える警報システムに関する。
【背景技術】
【０００２】
従来、端末機器と受信機との間に介在して、端末機器からの信号を受信機に中継する中継装置が知られている。特許文献１には、このような中継装置（無線受信用中継器）を備える防災監視システムが開示されている。特許文献１において、中継装置は、端末機器（無線式感知器）と受信機との間に介在し、端末機器と無線を介して接続され、受信機と一対の受信配線を介して接続されている。そして、中継装置は、無線を介して、端末機器から送信される各種信号を受信すると、一対の受信配線を介して、当該各種信号を受信機に送信する。
【０００３】
例えば、中継装置は、端末機器から送信される火災信号を受信すると、一対の受信配線間を略短絡させることによる火災信号を、受信機に送信する。また、中継装置は、端末機器から送信される異常信号（例えば、電池切れ信号）を受信すると、異常信号として、一対の受信配線間を断線させることによる断線信号を、受信機に送信する。
【先行技術文献】
【特許文献】
【０００４】
【特許文献１】特開２０１１−９６１６９号公報
【発明の概要】
【発明が解決しようとする課題】
【０００５】
上記のような中継装置として、電源の供給が遮断される無通電時には、異常信号として、一対の受信配線間を断線させることによる断線信号を、受信機に送信するように構成することが考えられる。しかしながら、中継装置が保守点検等される場合など、無通電状態になるものの、異常ではないため、ユーザによっては、無通電に基づく断線信号は不要であるという意見もあり、ユーザに応じて、無通電に基づく断線信号の要否を選択できるようにしたい。
【０００６】
また、上記のような中継装置として、火災以外の各種異常の場合は、一対の受信配線間を断線させることによる断線信号を、受信機に送信するように構成し、これにより、受信機側で各種異常が発生したことを確認できるようにしたいという要望がある。そのため、ユーザに応じて、無通電に基づく断線信号の要否を選択できるようにしながらも、その他の異常発生時にも断線信号を出力できるようにしなければならない。
【０００７】
本発明は、上記のような課題を解決するためになされたもので、無通電時において、断線信号を出力するか否かを選択することができる中継装置及びその中継装置を備える警報システムを提供するものである。
【０００８】
また、本発明は、無通電時において、断線信号を出力するか否かを選択することができるようにしながらも、その他の異常発生時にも断線信号を出力することができる中継装置及びその中継装置を備える警報システムを提供するものである。
【課題を解決するための手段】
【０００９】
本発明に係る中継装置は、端末機器と受信機との間に介在して、端末機器からの信号を受信機に中継するものであり、一対の受信配線を介して受信機と接続され、無通電時に、無通電状態を示す信号として一対の受信配線間を断線させる断線信号を出力するか否かを選択可能な中継装置であって、受信配線の他方に接続されるリレーと、リレーに接続される第４のジャンパ端子と、受信配線の一方に接続される第３のジャンパ端子と、を備え、リレーは、無通電時に受信配線の他方と第４のジャンパ端子とを接続するものであり、第３のジャンパ端子と第４のジャンパ端子との間は、非短絡状態又は短絡状態のいずれかが選択されるものであり、非短絡状態では、無通電時に断線信号が出力され、短絡状態では、無通電時に断線信号が出力されないように構成されたことを特徴とする。
【発明の効果】
【００１０】
本発明によれば、リレーと、第３のジャンパ端子と、第４のジャンパ端子とを備え、リレーは、無通電時に受信配線の他方と第４のジャンパ端子とを接続するものであり、第３のジャンパ端子と第４のジャンパ端子との間は、非短絡状態又は短絡状態のいずれかが選択されるものであり、非短絡状態では、無通電時に断線信号が出力され、短絡状態では、無通電時に断線信号が出力されないように構成されている。これにより、無通電時において、断線信号を出力するか否かを選択することができる。
【図面の簡単な説明】
【００１１】
【図１】本発明の実施の形態１に係る警報システム２を示すブロック図である。
【図２】本発明の実施の形態１に係る無線式中継器用電源装置１を示すブロック図である。
【図３】本発明の実施の形態１に係る無線式中継器用電源装置１と受信機５の接続を示す回路図である。
【図４】本発明の実施の形態１におけるジャンパ設定を示す図である。
【図５】本発明の実施の形態２に係る無線式中継器用電源装置１を示す回路図である。
【発明を実施するための形態】
【００１２】
以下、本発明に係る無線式中継器用電源装置１及び警報システム２の実施の形態について、図面を参照しながら説明する。なお、以下に説明する実施の形態によって本発明が限定されるものではない。また、図１を含め、以下の図面では各構成部材の大きさの関係が実際のものとは異なる場合がある。
【００１３】
実施の形態１．
図１は、本発明の実施の形態１に係る警報システム２を示すブロック図である。この図１に基づいて、警報システム２について説明する。図１に示すように、警報システム２は、無線式感知器３と、無線式中継器４（端末機器の一例）と、受信機５と、無線式中継器用電源装置１（中継装置の一例）とを備えている。無線式感知器３は、例えば煙等を感知する火災感知器である。無線式感知器３は、受信機５に有線で直接接続されてはおらず、無線式中継器４を介して、無線で火災信号等の送受信が行われる。
【００１４】
無線式中継器４は、無線式感知器３との間で信号の送受信を無線で行い、無線式感知器３から受信した信号を受信機５に配線を通じて送信するものである。なお、本実施の形態１では、無線式中継器４は、無線式中継器用電源装置１を介して、信号を受信機５に送信する。
【００１５】
受信機５は、無線式中継器４から受信した信号に基づいて、火災警報等の報知を行うものである。なお、本実施の形態１では、受信機５は、無線式中継器用電源装置１を介して、無線式中継器４からの信号を受信する。受信機５は、例えば１００Ｖの交流電源が入力されている。なお、受信機５は、火災等の報知用中継器としてもよい。
【００１６】
無線式中継器用電源装置１は、無線式中継器４に電源を供給し、無線式中継器４と受信機５との間に介在させて、無線式中継器４からの信号を受信機５に中継するものである。無線式中継器用電源装置１は、例えば１００Ｖの交流電源（商用電源）が入力されており、そのほかに、予備電源１４も接続されている。なお、無線式中継器用電源装置１は、電源機能を有さず、中継機能のみ有していてもよい。
【００１７】
ここで、無線式中継器用電源装置１は、更に、電源電圧監視回路（図示せず）を有している。電源電圧監視回路は、例えば電源回路２６に接続されており、電源回路２６から出力される電圧を測定している。通常時、無線式中継器用電源装置１は、商用電源によって駆動されている。電源電圧監視回路によって測定された電圧が所定電圧を下回った場合、無線式中継器用電源装置１は、商用電源による駆動から予備電源１４による駆動に切り替えられる。これにより、無線式中継器用電源装置１は、予備電源１４によって駆動される。
【００１８】
無線式中継器用電源装置１と無線式中継器４とは、一対の電源線１３によって接続されており、無線式中継器用電源装置１は、電源線１３を用いて、無線式中継器４に電源を供給する。また、無線式中継器用電源装置１と無線式中継器４とは、一対の中継配線１１によって接続されており、無線式中継器用電源装置１は、中継配線１１を用いて、無線式中継器４との間で信号の送受信を行う。この信号は、例えば無線式中継器４が無線式感知器３から受信した火災信号等である。
【００１９】
更に、無線式中継器用電源装置１と受信機５とは、一対の受信配線１２によって接続されており、無線式中継器用電源装置１は、受信配線１２を用いて、受信機５との間で信号の送受信を行う。この信号は、例えば無線式中継器用電源装置１が無線式中継器４から受信した火災信号等である。そして、無線式中継器用電源装置１は、各種の異常情報を外部機器に移報する機能を有している。
【００２０】
なお、無線式感知器３は、煙等により火災を検出すると火災信号を送信する。
【００２１】
また、無線式中継器４は、図示しないが、常時は開の第１のスイッチング素子と発報電流調整用の抵抗（例えば１００Ω）とが直列接続されて、図２に示す中継配線１１間（後述する中継終端抵抗１５）に並列に接続されたスイッチング回路を備えている。このスイッチング回路は、無線式中継器用電源装置１のスイッチング回路（後述する）と同様の構成である。そして、無線式中継器４は、無線式感知器３から火災信号を受信すると、第１のスイッチング素子を閉じることによりスイッチング回路を動作させて、火災情報（火災信号）として、発報電流調整用の抵抗に基づく略短絡電流を中継配線１１に流すように動作する。
【００２２】
図２は、本発明の実施の形態１に係る無線式中継器用電源装置１を示すブロック図である。図２に示すように、無線式中継器用電源装置１は、第１の受信端子２２ａと、第２の受信端子２２ｂと、第１の終端端子２９ａと、第２の終端端子２９ｂとを備えている。更に、無線式中継器用電源装置１は、中継断線監視回路２５と、一対の中継端子２１と、制御回路２７と、電源端子２８と、移報リレー３０と、ＬＥＤ３１と、配線端子台３２と、移報端子台３３とを備えている。第１の受信端子２２ａと第２の受信端子２２ｂとは、一対の受信端子であり、第１の終端端子２９ａと第２の終端端子２９ｂとは、一対の終端端子である。
【００２３】
第１の受信端子２２ａは、受信機５の一端に、一対の受信配線１２の一方を介して接続されるものである。第２の受信端子２２ｂは、受信機５の他端に、一対の受信配線１２の他方を介して接続されるものである。第１の終端端子２９ａは、受信機５による受信配線１２の断線検出用の終端器１６の一端に接続され、第１の受信端子２２ａに接続されるものである。第２の終端端子２９ｂは、終端器１６の他端に接続されるものである。なお、終端器１６は、終端抵抗としてもよく、抵抗値は、中継終端抵抗１５（後述する）と同様としてもよく、例えば１０ｋΩである。
【００２４】
一対の中継端子２１は、無線式中継器４に中継配線１１を介して接続されるものである。
【００２５】
中継断線監視回路２５は、中継端子２１間に接続されて中継配線１１の断線を監視するものである。なお、無線式中継器４には、中継配線１１の末端に接続された断線検出用の中継終端抵抗１５が接続されており、例えば１０ｋΩである。中継断線監視回路２５は、中継配線１１に流れる中継終端抵抗１５に基づく微弱電流を検出し、当該微弱電流が流れなくなったことを検出すると、中継配線１１が断線であると判断する。このようにして、中継断線監視回路２５は、中継配線１１の断線を監視している。そして、中継配線１１の断線が確認されると、中継配線１１が断線した旨の中継断線警報（後述する）が出力される。
【００２６】
また、中継断線監視回路２５は、無線式中継器４から受信した火災信号等を検出して、制御回路２７に送信する機能も有している。ここで、中継断線監視回路２５は、無線式中継器４のスイッチング動作に基づく中継配線１１に流れる略短絡電流を検出し、当該略短絡電流が流れていると判断すると、火災信号を検出したと判断する。
【００２７】
なお、火災信号を検出する回路を中継火災監視回路として、中継断線監視回路２５とは別に設けるようにしてもよい。
【００２８】
電源回路２６は、交流電源から供給された電力を変圧器で変圧した後の電力が入力されるものであり、この電力を所定の電力に変換して、中継断線監視回路２５及び制御回路２７に出力する。なお、中継断線監視回路２５及び制御回路２７は、予備電源１４からも電力が供給されるように構成されている。制御回路２７は、中継断線監視回路２５から受信した信号に基づいて、異常情報又は火災情報を受信機５に送信するものである。また、制御回路２７は、その異常情報又は火災情報を移報リレー３０及びＬＥＤ３１に送信する。一対の電源端子２８は、無線式中継器４に電源線１３を介して接続されるものである。なお、電源端子２８には、ヒューズが取り付けられている。また、無線式中継器用電源装置１には盤面スイッチ１４ａが設けられており、盤面スイッチ１４ａが押下されると、電池試験回路１４ｂが駆動して、予備電源１４の電圧試験が行われる。
【００２９】
ここで、終端器１６（第１の終端端子２９ａ及び第２の終端端子２９ｂ）と受信配線１２（第１の受信端子２２ａ及び第２の受信端子２２ｂ）との間には、断線出力回路４２と、スイッチング回路としての第３のスイッチング素子４３と、抵抗４４とを備える。
【００３０】
なお、断線出力回路４２と第３のスイッチング素子４３とが実装されている部分は、それ以外の部分と絶縁されている。
【００３１】
中継断線監視回路２５が中継配線１１の断線を確認すると、中継断線監視回路２５は、その異常情報（断線情報）を制御回路２７に送信する。そして、制御回路２７は、異常情報の場合に、終端器１６に直列接続された断線出力回路４２によって、通常、第２の受信端子２２ｂと第２の終端端子２９ｂとを短絡させている状態から、第２の受信端子２２ｂと第２の終端端子２９ｂとを開放させる状態に変更する。これにより、異常情報が受信機５に送信される。つまり、異常情報（異常状態を示す信号）として、受信配線１２間を断線させる断線信号を出力して、受信配線１２に終端器１６に基づく微弱電流を流さなくする。このとき、中継配線１１が断線した旨の中継断線警報（後述する）が出力される。
【００３２】
また、中継断線監視回路２５が無線式中継器４から火災信号等を受信すると、中継断線監視回路２５は、その火災情報を制御回路２７に送信する。そして、制御回路２７は、火災情報の場合に、終端器１６に並列接続された常時は開の第３のスイッチング素子４３を閉じて、スイッチング回路をスイッチング動作させる。これにより、火災情報が受信機５に送信される。なお、第３のスイッチング素子４３には、終端器１６よりも小さい抵抗値である発報電流調整用の抵抗４４が直列に接続されており、これにより、火災情報として、受信配線１２には、終端器１６に基づく微弱電流よりも大きい略短絡電流が流れる。
【００３３】
移報リレー３０は、各異常情報を外部機器に移報する際に使用されるスイッチである。ＬＥＤ３１は、各情報を表示するものであり、交流電源灯、予備電源異常灯、２次側電源異常灯、火災灯及び断線灯を有している。交流電源灯は、交流電源の供給が断たれたときに表示されるものである。予備電源異常灯は、予備電源１４に異常が発生したときに表示されるものである。２次側電源異常灯は、電源端子２８に取り付けられたヒューズに異常が発生したときに表示されるものである。火災灯は、火災のときに表示されるものである。断線灯は、断線のときに表示されるものであり、中継断線警報の一例である。
【００３４】
配線端子台３２は、中継端子２１、第１の受信端子２２ａ、第２の受信端子２２ｂ、電源端子２８、第１の終端端子２９ａ及び第２の終端端子２９ｂが設けられた端子台である。移報端子台３３は、外部機器に移報する各端子が設けられた端子台である。例えば、異常代表端子、交流電源断端子、予備電源異常端子及び二次側電源異常端子が設けられている。異常代表端子は、いずれの異常が発生した場合でも、その情報を移報するための端子であり、本発明の移報端子９８に相当する。この異常には、中継配線１１の断線が含まれており、これも、中継断線警報の一例である。交流電源断端子は、交流電源の供給が断たれたときに、その情報を移報するための端子である。予備電源異常端子は、予備電源１４に異常が発生したときに、その情報を移報するための端子である。２次側電源異常端子は、電源端子２８に取り付けられたヒューズに異常が発生したときに、その情報を移報するための端子である。
【００３５】
次に、図１において、受信機５は、受信配線１２間の断線が確認された場合に受信断線警報を出力する受信警報部（図示せず）と、受信配線１２に接続されて受信配線１２間の断線を監視する監視回路（図示せず）とを有する。監視回路は、受信配線１２に流れる終端器１６に基づく微弱電流を検出し、当該微弱電流が流れなくなったことを検出すると、受信配線１２間が断線である、即ち、異常状態を示す信号としての断線信号を受信したと判断する。このようにして、監視回路は、断線信号の受信の有無を監視している。そして、断線信号の受信が確認されると、受信警報部は、断線信号を受信した旨の受信断線警報を出力する。
【００３６】
また、受信機５は、前述の監視回路（図示せず）が、無線式中継器用電源装置１のスイッチング動作に基づく略短絡電流を検出すると、火災情報を受信したと判断する。そして、前述の受信警報部（図示せず）が、受信火災警報を出力する。
【００３７】
なお、受信機５は、監視回路として、火災情報を検出する回路である火災監視回路と、受信配線１２間の断線を監視する回路である断線監視回路とを別個に設けてもよい。
【００３８】
図３は、本発明の実施の形態１に係る無線式中継器用電源装置１と受信機５の接続を示す回路図である。次に、無線式中継器用電源装置１について詳細に説明する。図３に示すように、無線式中継器用電源装置１の断線出力回路４２は、リレー６５と、第１のジャンパ端子５１と、第２のジャンパ端子５２と、第３のジャンパ端子５６と、第４のジャンパ端子５７と、スイッチング部６０と、第５のジャンパ端子５３と、第６のジャンパ端子５４と、第７のジャンパ端子５８と、第８のジャンパ端子５９と、第１の抵抗４５と、第２の抵抗４６と、第３の抵抗４７と、第４の抵抗４８とを備えている。なお、図３において、第３のスイッチング素子４３及び抵抗４４は、断線出力回路４２よりも、受信機５側に接続されている。これにより、無線式中継器用電源装置１は、異常報知よりも火災報知を優先させている。
【００３９】
リレー６５は、第２の受信端子２２ｂに接続されるリレー基端子６８、第１のリレー端子６６及び第２のリレー端子６７を有し、リレー基端子６８と第１のリレー端子６６とを接続するか又はリレー基端子６８と第２のリレー端子６７とを接続するかを切り替えられるものである。なお、リレー６５は、無通電時にリレー基端子６８と第２のリレー端子６７とが接続される。第１のジャンパ端子５１は、第１のリレー端子６６に接続されるものである。第２のジャンパ端子５２は、第２の終端端子２９ｂに接続されるものである。第３のジャンパ端子５６は、第２の終端端子２９ｂに接続されるものである。第４のジャンパ端子５７は、第２のリレー端子６７に接続されるものである。
【００４０】
第５のジャンパ端子５３は、スイッチング部６０に接続されるものである。第６のジャンパ端子５４は、通電正常時にハイインピーダンスとなり、通電異常時に接地されるものである。これは、各素子から構成された通電制御部７０によって制御されている。第７のジャンパ端子５８も、通電正常時にハイインピーダンスとなり、通電異常時に接地されるものである。なお、第６のジャンパ端子５４及び第７のジャンパ端子５８には、第１の電圧源７１が接続されている。第８のジャンパ端子５９は、スイッチング部６０に接続されるものである。
【００４１】
スイッチング部６０は、リレー６５の動作を制御するものである。スイッチング部６０は、第１のリレースイッチング素子６１と、第２のリレースイッチング素子６２と、リレー制御部６３とを有している。第１のリレースイッチング素子６１は、例えばバイポーラトランジスタであり、ベースに第８のジャンパ端子５９が接続され、コレクタに第２の電圧源７２及び第５のジャンパ端子５３が接続され、エミッタが接地されている。
【００４２】
第２のリレースイッチング素子６２は、例えばバイポーラトランジスタであり、ベースに第２の電圧源７２、第５のジャンパ素子及び第１のリレースイッチング素子６１のコレクタが接続され、コレクタにリレー制御部６３が接続され、エミッタが接地されている。リレー制御部６３は、各素子から構成されたものであり、リレー６５の動作を制御する。リレー制御部６３は、電流が流れることによってリレー基端子６８と第１のリレー端子６６とを接続させ、電流が流れないことによってリレー基端子６８と第２のリレー端子６７とを接続させる。
【００４３】
第１の抵抗４５は、第１の電圧源７１の下流に設けられている。第２の抵抗４６は、第２の電圧源７２の下流に設けられている。第３の抵抗４７は、第１のリレースイッチング素子６１のベースに接続されている。第４の抵抗４８は、第２のリレースイッチング素子６２のベースに接続されている。
【００４４】
ここで、第１のジャンパ端子５１と第２のジャンパ端子５２とは、例えば第１のジャンパ５０によって短絡される。また、第５のジャンパ端子５３と第６のジャンパ端子５４も、例えば第１のジャンパ５０によって短絡される。一方、第３のジャンパ端子５６と第４のジャンパ端子５７とは、例えば第２のジャンパ５５によって短絡される。また、第７のジャンパ端子５８と第８のジャンパ端子５９も、例えば第２のジャンパ５５によって短絡される。
【００４５】
このように、無線式中継器用電源装置１は、第１のジャンパ５０によって第１のジャンパ端子５１と第２のジャンパ端子５２とが短絡され、第１のジャンパ５０によって第５のジャンパ端子５３と第６のジャンパ端子５４とが短絡される第１の状態と、第２のジャンパ５５によって第３のジャンパ端子５６と第４のジャンパ端子５７とが短絡され、第２のジャンパ５５によって第７のジャンパ端子５８と第８のジャンパ端子５９とが短絡される第２の状態とのいずれかが選択されるものである。
【００４６】
次に、無線式中継器用電源装置１の動作等について説明する。先ず、火災等が発生した場合の動作について説明する。中継断線監視回路２５が、無線式中継器４のスイッチング動作に基づく略短絡電流を検出することにより、無線式中継器４から火災信号等を受信すると、中継断線監視回路２５は、その火災情報を制御回路２７に送信する。そして、制御回路２７は、火災情報の場合に、第３のスイッチング素子４３を閉じる。これにより、火災情報が受信機５に送信される。また、制御回路２７は、ＬＥＤ３１の火災灯によって火災表示を行う。
【００４７】
一方、受信機５は、監視回路（図示せず）が、無線式中継器用電源装置１のスイッチング動作に基づく略短絡電流を検出すると、火災情報を受信したと判断する。そして、受信警報部（図示せず）が、受信火災警報を出力する。
【００４８】
次に、中継配線１１が断線した場合の動作について説明する。中継断線監視回路２５は、前述の如く、中継配線１１に流れる中継終端抵抗１５に基づく微弱電流が流れなくなったことを検出すると、中継配線１１が断線であると判断する。中継断線監視回路２５が中継配線１１の断線を確認すると、中継断線監視回路２５は、その異常情報（断線情報）を制御回路２７に送信する。そして、制御回路２７は、異常情報の場合に、断線出力回路４２によって、受信配線１２間を断線させる断線信号を出力する。これにより、異常情報が受信機５に送信される。また、制御回路２７は、ＬＥＤ３１の断線灯によって断線表示を行い、中継配線１１が断線した旨の中継断線警報が出力される。
【００４９】
一方、受信機５は、監視回路（図示せず）が、常時受信配線１２に流れる終端器１６に基づく微弱電流を検出しているが、当該微弱電流が流れなくなったことを検出すると、受信配線１２間が断線である、即ち、異常状態を示す信号としての断線信号を受信したと判断する。そして、断線信号の受信が確認されると、受信警報部（図示せず）は、断線信号を受信した旨の受信断線警報を出力する。
【００５０】
図４は、本発明の実施の形態１におけるジャンパ設定を示す図である。次に、無線式中継器用電源装置１の各通電状態における動作について説明する。通電状態として、通電正常と通電異常と無通電とが挙げられる。通電正常とは、交流電源又は予備電源１４のいずれかによって通電されており、且つ、中継断線監視回路２５が断線を検出していない状態（正常状態）をいう。通電異常とは、交流電源又は予備電源１４のいずれかによって通電されており、且つ、中継断線監視回路２５が断線を検出している状態（異常状態）をいう。無通電とは、交流電源及び予備電源１４のいずれによっても通電されていない状態をいう。
【００５１】
先ず、第１のジャンパ５０が取り付けられた第１の状態の場合について説明する。図４に示すように、通電状態が通電正常であるとき、制御回路２７の制御によって、通電制御部７０がハイインピーダンスとなる。そのため、第６のジャンパ端子５４はハイインピーダンスとなり、第５のジャンパ端子５３もハイインピーダンスとなる。また、第１のリレースイッチング素子６１のベースには電流が流れないため、第１のリレースイッチング素子６１はオフされている。従って、第１のリレースイッチング素子６１のコレクタからエミッタには電流が流れない。よって、第１の電圧源７１、第１の抵抗４５、第６のジャンパ端子５４、第５のジャンパ端子５３、第４の抵抗４８、第２のリレースイッチング素子６２のベースの順に電流が流れる。
【００５２】
これにより、第２のリレースイッチング素子６２はオンされ、第２のリレースイッチング素子６２のコレクタからエミッタに電流が流れる。即ち、リレー制御部６３に電流が流れ、リレー６５においてリレー基端子６８と第１のリレー端子６６とが接続される。このとき、第２の受信端子２２ｂと第２の終端端子２９ｂとは、第２の受信端子２２ｂ、リレー基端子６８、第１のリレー端子６６、第１のジャンパ端子５１、第２のジャンパ端子５２、第２の終端端子２９ｂの経路で接続される。従って、無線式中継器用電源装置１に終端器１６が接続されるため、異常状態を示す信号である、一対の受信配線１２間を断線させることによる断線信号が出力されない。そのため、受信機５の受信警報部における受信断線警報は遮断される。
【００５３】
図４に示すように、通電状態が通電異常であるとき、制御回路２７の制御によって、通電制御部７０が接地される。そのため、第６のジャンパ端子５４は接地され、第５のジャンパ端子５３も接地される。また、第１のリレースイッチング素子６１のベースには電流が流れないため、第１のリレースイッチング素子６１はオフされている。従って、第１のリレースイッチング素子６１のコレクタからエミッタには電流が流れない。よって、第５のジャンパ端子５３に接続された第２のリレースイッチング素子６２のベースも接地されるため、第２のリレースイッチング素子６２はオフされている。
【００５４】
従って、第２のリレースイッチング素子６２のコレクタからエミッタには電流が流れない。即ち、リレー制御部６３に電流が流れず、リレー６５においてリレー基端子６８と第２のリレー端子６７とが接続される。このとき、第２の受信端子２２ｂと第２の終端端子２９ｂとは、第３のジャンパ端子５６と第４のジャンパ端子５７とが開放されているため、接続されない。従って、無線式中継器用電源装置１から終端器１６が切り離されるため、異常状態を示す信号として、一対の受信配線１２間を断線させることによる断線信号が出力される。そのため、受信機５の受信警報部における受信断線警報が出力される。
【００５５】
このように、リレー６５は、第１の状態において、通電正常時にリレー基端子６８と第１のリレー端子６６とが接続され、通電異常時にリレー基端子６８と第２のリレー端子６７とが接続される。
【００５６】
図４に示すように、通電状態が無通電であるとき、リレー制御部６３に電流が流れないため、リレー６５においてリレー基端子６８と第２のリレー端子６７とが接続される。このとき、第２の受信端子２２ｂと第２の終端端子２９ｂとは、第３のジャンパ端子５６と第４のジャンパ端子５７とが開放されているため、接続されない。従って、無線式中継器用電源装置１から終端器１６が切り離されるため、異常状態を示す信号として、一対の受信配線１２間を断線させることによる断線信号が出力される。そのため、受信機５の受信警報部における受信断線警報が出力される。このように、第１のジャンパ５０が取り付けられる第１の状態においては、無線式中継器用電源装置１が無通電のとき、受信機５の受信警報部における受信断線警報が出力される。
【００５７】
次に、第２のジャンパ５５が取り付けられた第２の状態の場合について説明する。図４に示すように、通電状態が通電正常であるとき、制御回路２７の制御によって、通電制御部７０がハイインピーダンスとなる。そのため、第７のジャンパ端子５８はハイインピーダンスとなり、第８のジャンパ端子５９もハイインピーダンスとなる。よって、第１の電圧源７１、第１の抵抗４５、第７のジャンパ端子５８、第８のジャンパ端子５９、第３の抵抗４７、第１のリレースイッチング素子６１のベースの順に電流が流れる。これにより、第１のリレースイッチング素子６１はオンされ、第１のリレースイッチング素子６１のコレクタからエミッタに電流が流れる。
【００５８】
よって、第２の電圧源７２、第２の抵抗４６、第１のリレースイッチング素子６１のコレクタ、第１のリレースイッチング素子６１のエミッタの順に電流が流れるため、第２のリレースイッチング素子６２のベースには電流が流れない。従って、第２のリレースイッチング素子６２はオフされ、第２のリレースイッチング素子６２のコレクタからエミッタには電流が流れない。即ち、リレー制御部６３に電流が流れず、リレー６５においてリレー基端子６８と第２のリレー端子６７とが接続される。このとき、第２の受信端子２２ｂと第２の終端端子２９ｂとは、第２の受信端子２２ｂ、リレー基端子６８、第２のリレー端子６７、第４のジャンパ端子５７、第３のジャンパ端子５６、第２の終端端子２９ｂの経路で接続される。従って、無線式中継器用電源装置１に終端器１６が接続されるため、異常状態を示す信号である、一対の受信配線１２間を断線させることによる断線信号が出力されない。そのため、受信機５の受信警報部における受信断線警報は遮断される。
【００５９】
図４に示すように、通電状態が通電異常であるとき、制御回路２７の制御によって、通電制御部７０が接地される。そのため、第７のジャンパ端子５８は接地され、第８のジャンパ端子５９も接地される。よって、第１のリレースイッチング素子６１のベースには電流が流れないため、第１のリレースイッチング素子６１はオフされている。従って、第１のリレースイッチング素子６１のコレクタからエミッタには電流が流れない。よって、第２の電圧源７２、第２の抵抗４６、第４の抵抗４８、第２のリレースイッチング素子６２のベースの順に電流が流れる。
【００６０】
これにより、第２のリレースイッチング素子６２はオンされ、第２のリレースイッチング素子６２のコレクタからエミッタには電流が流れる。即ち、リレー制御部６３に電流が流れ、リレー６５においてリレー基端子６８と第１のリレー端子６６とが接続される。このとき、第２の受信端子２２ｂと第２の終端端子２９ｂとは、第１のジャンパ端子５１と第２のジャンパ端子５２とが開放されているため、接続されない。従って、無線式中継器用電源装置１から終端器１６が切り離されるため、異常状態を示す信号として、一対の受信配線１２間を断線させることによる断線信号が出力される。そのため、受信機５の受信警報部における受信断線警報が出力される。
【００６１】
このように、リレー６５は、第２の状態において、通電正常時にリレー基端子６８と第２のリレー端子６７とが接続され、通電異常時にリレー基端子６８と第１のリレー端子６６とが接続される。
【００６２】
図４に示すように、通電状態が無通電であるとき、リレー制御部６３に電流が流れないため、リレー６５においてリレー基端子６８と第２のリレー端子６７とが接続される。このとき、第２の受信端子２２ｂと第２の終端端子２９ｂとは、第２の受信端子２２ｂ、リレー基端子６８、第２のリレー端子６７、第４のジャンパ端子５７、第３のジャンパ端子５６、第２の終端端子２９ｂの経路で接続される。従って、無線式中継器用電源装置１に終端器１６が接続されるため、異常状態を示す信号である、一対の受信配線１２間を断線させることによる断線信号が出力されない。そのため、受信機５の受信警報部における受信断線警報は遮断される。このように、第２のジャンパ５５が取り付けられる第２の状態においては、無線式中継器用電源装置１が無通電のとき、受信機５の受信警報部における受信断線警報は遮断される。
【００６３】
次に、無線式中継器用電源装置１の作用について説明する。無線式中継器用電源装置１は、リレー６５と、第３のジャンパ端子５６と、第４のジャンパ端子５７とを備え、リレー６５は、無通電時に受信配線１２の他方と第４のジャンパ端子５７とを接続するものであり、第３のジャンパ端子５６と第４のジャンパ端子５７との間は、非短絡状態又は短絡状態のいずれかが選択されるものであり、非短絡状態では、無通電時に断線信号が出力され、短絡状態では、無通電時に断線信号が出力されないように構成されている。これにより、無通電時において、断線信号を出力するか否かを選択することができる。
【００６４】
これにより、無線式中継器用電源装置１が保守点検等される場合、無通電にされても、断線信号を出力しないようにすることができる。
【００６５】
また、無線式中継器用電源装置１は、一対の受信配線１２の一方に接続される第１の受信端子２２ａと、一対の受信配線１２の他方に接続される第２の受信端子２２ｂと、終端器１６の一端、及び、第１の受信端子２２ａに接続される第１の終端端子２９ａと、終端器１６の他端に接続される第２の終端端子２９ｂと、を備え、リレー６５は、リレー基端子６８と第２のリレー端子６７とを有し、リレー基端子６８が第２の受信端子２２ｂに接続され、第２のリレー端子６７が第４のジャンパ端子５７に接続され、また、リレー基端子６８と第２のリレー端子６７とを接続するか否かを切り替えるように構成されており、更に、無通電時に、リレー基端子６８と第２のリレー端子６７とが接続されることにより、受信配線１２の他方と第４のジャンパ端子５７とを接続するものであり、第３のジャンパ端子５６は、第２の終端端子２９ｂに接続されるものであり、非短絡状態では、無通電時に、受信配線１２と終端器１６とが切り離されることにより、断線信号が出力され、短絡状態では、無通電時に、受信配線１２と終端器１６とが接続されることにより、断線信号が出力されないように構成されている。このため、上記のとおり、無通電時において、断線信号を出力するか否かを選択することができる。
【００６６】
更に、リレー６５は、第１のリレー端子６６を有し、リレー基端子６８と第１のリレー端子６６とを接続するか、又は、リレー基端子６８と第２のリレー端子６７とを接続するかを切り替えるように構成されており、無線式中継器用電源装置１は、第１のリレー端子６６に接続される第１のジャンパ端子５１と、第２の終端端子２９ｂに接続される第２のジャンパ端子５２と、を備え、第１のジャンパ端子５１と第２のジャンパ端子５２とが短絡される第１の状態と、短絡状態（第３のジャンパ端子５６と第４のジャンパ端子５７とが短絡状態）である第２の状態と、のいずれかが選択されるものであり、第１の状態では、無通電時に、受信配線１２と終端器１６とが切り離されることにより、断線信号が出力され、第２の状態では、無通電時に、受信配線１２と終端器１６とが接続されることにより、断線信号が出力されないように構成されている。このため、上記のとおり、無通電時において、断線信号を出力するか否かを選択することができる。
【００６７】
更にまた、リレー６５は、第１の状態において、通電且つ異常が発生していない（中継配線１１が断線していない）通電正常時に、リレー基端子６８と第１のリレー端子６６とが接続され、また、通電且つ異常が発生している（中継配線１１が断線している）通電異常時に、リレー基端子６８と第２のリレー端子６７とが接続され、第２の状態において、通電正常時に、リレー基端子６８と第２のリレー端子６７とが接続され、また、通電異常時に、リレー基端子６８と第１のリレー端子６６とが接続されるように構成されており、第１の状態では、通電正常時に、受信配線１２と終端器１６とが接続されることにより、断線信号が出力されず、また、通電異常時に、受信配線１２と終端器１６とが切り離されることにより、断線信号が出力され、第２の状態では、通電正常時に、受信配線１２と終端器１６とが接続されることにより、断線信号が出力されず、また、通電異常時に、受信配線１２と終端器１６とが切り離されることにより、断線信号が出力されるように構成されている。このため、無通電時において、無通電状態を示す断線信号を出力するか否かを選択することができるようにしながらも、その他の異常発生時（中継配線１１の断線時など）にも断線信号を出力することができる。
【００６８】
そして、警報システム２は、無線式中継器４（端末機器）と、受信機５と、無線式中継器用電源装置１（中継装置）と、を備え、受信機５には、中継装置から送信される断線信号を受信した場合に受信断線警報を出力する受信警報が設けられている。このため、受信機側で断線信号を受信して、受信断線警報を出力することができる。
【００６９】
端末機器と受信機５との間に介在して、端末機器からの信号を受信機５に中継するものであり、一対の受信配線１２を介して受信機５と接続され、無通電時に、無通電状態を示す信号として一対の受信配線１２間を断線させる断線信号を出力するか否かを選択可能な中継装置であって、一対の受信配線１２と終端器１６との間に設けられた断線出力回路４２を備え、断線出力回路４２は、一対の受信配線１２と終端器１６とを接続可能な経路中に、第１のジャンパ５０が取り付けられる第１の状態と、第２のジャンパ５５が取り付けられる第２の状態と、のいずれかが選択可能な構成であり、第１の状態では、無通電時に断線信号が出力され、第２の状態では、無通電時に断線信号が出力されないように構成されている。これにより、無通電時において、断線信号を出力するか否かを選択することができる。
【００７０】
更に、断線出力回路４２は、第１の状態及び第２の状態のいずれにおいても、通電且つ異常が発生していない通電正常時に、断線信号が出力されず、また、通電且つ異常が発生している通電異常時に、断線信号が出力されるように構成されている。このため、無通電時において、無通電状態を示す断線信号を出力するか否かを選択することができるようにしながらも、異常発生時にも断線信号を出力することができる。
【００７１】
なお、前記実施の形態においては、通電異常における異常として、中継配線１１の断線を例に挙げて説明したが、その他の異常であってもよく、無線式中継器用電源装置１は、当該異常が発生したときに、異常状態を示す信号として一対の受信配線１２間を断線させる断線信号を出力する構成であってもよい。
【００７２】
つまり、その他の異常発生の有無に基づいて、或いは、その他の異常発生の有無も含めて、通電正常又は通電異常とするようにしてもよく、例えば、その他の異常としては、無線式中継器用電源装置１自身による異常（例えば、交流電源の停電など）や、無線式中継器４から受信した異常信号（例えば、無線式感知器３の電池切れ異常）などであってもよい。
【００７３】
実施の形態２．
次に、本発明の実施の形態２に係る無線式中継器用電源装置１について説明する。図５は、本発明の実施の形態２に係る無線式中継器用電源装置１を示す回路図である。本実施の形態２は、交流電源が遮断（停電）されたときに、その情報が移報されることを遮断することができる点で、実施の形態１とは別の発明であり、実施の形態１と組み合わせてもよい。本実施の形態２では、実施の形態１と共通する部分は同一の符号を付して説明を省略し、実施の形態１との相違点を中心に説明する。
【００７４】
無線式中継器用電源装置１は、移報リレー３０と、移報スイッチング部９０と、第９のジャンパ端子８１と、第１０のジャンパ端子８２と、移報制御部９９とを備えている。移報リレー３０は、交流電源の異常（停電）を移報するための移報端子９８に接続されるものである。第９のジャンパ端子８１は、移報スイッチング部９０に接続されるものである。第１０のジャンパ端子８２は、交流電源の異常時に接地されるものであり、各素子から構成された移報制御部９９によって制御されている。
【００７５】
移報スイッチング部９０は、移報リレー３０の動作を制御するものである。移報スイッチング部９０は、移報スイッチング素子９１と、移報リレー制御部９２、第５の抵抗９３と、第６の抵抗９４とを有している。移報スイッチング素子９１は、例えばバイポーラトランジスタであり、ベースに第３の電圧源９６及び第９のジャンパ端子８１が接続され、コレクタに移報リレー制御部９２及び第４の電圧源９７が接続され、エミッタが接地されている。移報リレー制御部９２は、各素子から構成されたものであり、移報リレー３０の動作を制御する。移報リレー制御部９２は、移報リレー３０を、電流が流れることによって移報端子９８間から開放させ、電流が流れないことによって移報端子９８間に接続させる。
【００７６】
第５の抵抗９３は、第３の電圧源９６の下流に設けられている。第６の抵抗９４は、移報スイッチング素子９１のベースに接続されている。
【００７７】
ここで、第９のジャンパ端子８１と第１０のジャンパ端子８２とは、例えば第３のジャンパ８０によって短絡される。このように、無線式中継器用電源装置１は、第３のジャンパ８０の取り付けによって第９のジャンパ端子８１と第１０のジャンパ端子８２とが短絡される第３の状態と、第３のジャンパ８０の取り外しによって第９のジャンパ端子８１と第１０のジャンパ端子８２とが開放される第４の状態とのいずれかが選択される。
【００７８】
次に、無線式中継器用電源装置１の第３のジャンパ８０の設定における動作について説明する。先ず、第３のジャンパ８０が取り付けられた第３の状態の場合について説明する。交流電源の供給が遮断されるとき、移報制御部９９が接地され、第１０のジャンパ端子８２及び第９のジャンパ端子８１も接地される。よって、第３の電圧源９６、第５の抵抗９３、第９のジャンパ端子８１、第１０のジャンパ端子８２の順に電流が流れる。
【００７９】
これにより、移報スイッチング素子９１のベースには電流が流れない。よって、移報スイッチング素子９１はオフされ、移報スイッチング素子９１のコレクタからエミッタには電流が流れない。よって、移報リレー制御部９２には電流が流れないため、移報リレー３０は、移報端子９８間に接続される。従って、交流電源が遮断されたときに、その情報が外部機器に移報される。
【００８０】
次に、第３のジャンパ８０が取り外された第４の状態の場合について説明する。交流電源の供給が遮断されるとき、移報制御部９９が接地され、第１０のジャンパ端子８２は接地されるが、第１０のジャンパ端子８２と第９のジャンパ端子８１とは開放されているため、第９のジャンパ端子８１は接地されない。このため、第３の電圧源９６、第５の抵抗９３、第６の抵抗９４、移報スイッチング素子９１のベースの順に電流が流れる。
【００８１】
従って、移報スイッチング素子９１はオンされ、移報スイッチング素子９１のコレクタからエミッタに電流が流れる。このため、第４の電圧源９７、移報リレー制御部９２、移報スイッチング素子９１のコレクタ、移報スイッチング素子９１のエミッタの順に電流が流れるため、移報リレー制御部９２には電流が流れる。従って、移報リレー３０は、移報端子９８間から開放される。従って、交流電源が遮断されたときに、その情報が外部機器に移報されることが遮断される。
【００８２】
次に、無線式中継器用電源装置１の作用について説明する。無線式中継器用電源装置１は、第９のジャンパ端子８１と第１０のジャンパ端子８２とが短絡される第３の状態と、第９のジャンパ端子８１と前記第１０のジャンパ端子８２とが開放される第４の状態と、のいずれかが選択されるものである。上記のとおり、第３の状態においては、交流電源が遮断されるとき、その情報が外部機器に移報される。また、第４の状態においては、交流電源が遮断されるとき、その情報を外部機器に移報されることが遮断される。従って、無線式中継器用電源装置１は、交流電源が遮断されるとき、外部機器に移報するか否かを選択することができる。
【００８３】
これにより、無線式中継器用電源装置１が保守点検等される場合、交流電源が遮断されても、外部機器への移報を遮断することができる。
【００８４】
また、第３の状態は、第３のジャンパ８０が取り付けられることにより実現され、第４の状態は、第３のジャンパ８０が取り外されることにより実現される。従って、第３のジャンパ８０の着脱によって、交流電源が遮断されたときにおける移報の有無を選択することができる。
【００８５】
前記全ての実施の形態において、中継装置として、無線式中継器用電源装置１を例に挙げて説明したが、その他の中継装置であってもよく、端末機器と受信機との間に介在して、端末機器からの信号を受信機に中継するものであればよい。また、端末機器とは配線に限らず、無線で接続される構成であってもよい。例えば、前記実施の形態における無線式中継器４が中継装置であって、無線式感知器３が端末機器であってもよい。
【符号の説明】
【００８６】
１  無線式中継器用電源装置、２  警報システム、３  無線式感知器、４  無線式中継器、５  受信機、１１  中継配線、１２  受信配線、１３  電源線、１４  予備電源、１４ａ  盤面スイッチ、１４ｂ  電池試験回路、１５  中継終端抵抗、１６  終端器、２１  中継端子、２２ａ  第１の受信端子、２２ｂ  第２の受信端子、２５  中継断線監視回路、２６  電源回路、２７  制御回路、２８  電源端子、２９ａ  第１の終端端子、２９ｂ  第２の終端端子、３０  移報リレー、３１  ＬＥＤ、３２  配線端子台、３３  移報端子台、４２  断線出力回路、４３  第３のスイッチング素子、４４  抵抗、４５  第１の抵抗、４６  第２の抵抗、４７  第３の抵抗、４８  第４の抵抗、５０  第１のジャンパ、５１  第１のジャンパ端子、５２  第２のジャンパ端子、５３  第５のジャンパ端子、５４  第６のジャンパ端子、５５  第２のジャンパ、５６  第３のジャンパ端子、５７  第４のジャンパ端子、５８  第７のジャンパ端子、５９  第８のジャンパ端子、６０  スイッチング部、６１  第１のリレースイッチング素子、６２  第２のリレースイッチング素子、６３  リレー制御部、６５  リレー、６６  第１のリレー端子、６７  第２のリレー端子、６８  リレー基端子、７０  通電制御部、７１  第１の電圧源、７２  第２の電圧源、８０  第３のジャンパ、８１  第９のジャンパ端子、８２  第１０のジャンパ端子、９０  移報スイッチング部、９１  移報スイッチング素子、９２  移報リレー制御部、９３  第５の抵抗、９４  第６の抵抗、９６  第３の電圧源、９７  第４の電圧源、９８  移報端子、９９  移報制御部。
【図１】
0006579769.tif 000002
【図２】
0006579769.tif 000003
【図３】
0006579769.tif 000004
【図４】
0006579769.tif 000005
【図５】
0006579769.tif 000006